(57)【要約】【課題】本発明は、紐状・帯状の長尺物を巻いたり掛けたり吊ったりして保持したり、脱落を防いだり、保持する物品を簡単に取り付け及び取り外したり、本体を吊り掛けたり運搬したりすることが可能である、長尺物またはロール状体の保持器具を提供する。【解決手段】端から端までが開口し拡縮可能なロール状に成形された略円筒状の内芯胴体と、内芯胴体を覆い、互いに固定されずに個別に回転が可能となる空隙を持つように設置した、端から端までが開口し拡縮可能なロール状に成形された略円筒状の外芯胴体からなる二重の筒型の芯胴体を持ち、内芯胴体の両端には外芯胴体の直径より大きな径を持ち鍔状に設置した着脱可能な側板を持ち、さらに側板の取付軸芯を軸に回転可能で本体から着脱可能な本体吊り掛け部を持つことを特徴とする、長尺物またはロール状体の保持器具。【選択図】図１
2018188304.tif 000002
【特許請求の範囲】
【請求項１】
薄いプレート板を端から端までが開口し拡縮可能なロール状に成形した略円筒状の内芯胴体と、
内芯胴体を覆い、内芯胴体との間に空隙を持つように設置した、薄いプレート板を端から端までが開口し拡縮可能なロール状に成形した略円筒状の外芯胴体、
からなる二重の筒型の芯胴体を持ち、
内芯胴体の両端には外芯胴体の直径より大きな径を持ち、
鍔状に設置した着脱可能な側板を持ち、
さらに側板の取付軸芯を軸に回転可能であり本体から着脱可能な本体吊り掛け部を持つ、
ことを特徴とする長尺物またはロール状体の保持器具。
【発明の詳細な説明】
【技術分野】
【０００１】  本発明は、紐状・帯状の長尺物を巻いたり掛けたり吊ったりして保持する、もしくはそれら長尺物のロール状体を保持する、さらにそれら保持する物品の脱落を防ぎ、かつ保持する物品を簡単に取り付け及び取り外すことができる、また物品を保持した状態のまま本体を吊り掛けたり運搬したりすることが可能である保持器具に関するものである。
【背景技術】
【０００２】  従来、紐状・帯状の長尺物を保持するためには、巻取りドラムの両側面に巻取りドラムの直径より径の大きな円形のドラム側板を取り付けたワイヤロープ巻き取り装置（特許文献１参照）や、衣類用ハンガーの支軸に紐状・帯状の長尺物を保持する構造を設けたネクタイ掛け具（特許文献２参照）が用いられ、あるいは専用に作られた保持器具を用いず汎用的な棒芯やフックが転用されていることも多い。また、紐状・帯状の長尺物の巻かれたロール状体を保持するためには、ロール状体の巻芯部に保持部を挿入して固定するロールペーパーホルダ（特許文献３参照）がある。
【先行技術文献】
【特許文献】
【０００３】
【特許文献１】特開２００６−３１２５３５号公報
【特許文献２】特開２００７−０６１１５８号公報
【特許文献３】特開２０１２−２４５２８９号公報
【発明の概要】
【発明が解決しようとする課題】
【０００４】  しかしながら、特許文献１の巻取り装置は、側板と巻取りドラムが固定されて着脱できず、また紐状・帯状の長尺物のロール状体を取り付け及び取り外す構造も設けられていないため、巻取りドラムに巻き取った長尺物を巻き取った状態のまま取り外したり、ロール状体を取り付けたりすることはできない。側板よりも芯径の大きなロール状体ならば取り付けることができるが、この場合には使用の際にロール状体が側板を越えて脱落してしまう可能性がある。さらにこの巻取り装置には、巻取り装置本体を保持する構造が備わっていないため、使用時にはこの装置とは別に何らかの保持器具や保持装置を設置しないと使用することができない。また、この巻取り装置には巻き取り開始時に長尺物の先端を固定・収納する構造が備わっていないため、巻き取り開始時には何らかの固定方法を用いる必要があるし、長尺物の先端に金具などの突起物が装着されている場合には、その突起物が妨げになって巻き取りが困難になる可能性がある。
特許文献２の掛け具は、一般的な衣類ハンガー形状をしており、その支軸に紐状・帯状の長尺物を吊り掛けたり簡易に巻き取ったりすることはできても、ずれや緩みの無いロール状体に巻き取ることは難しい。さらに、ロール状に巻き取った場合には、巻き取った長尺物を取り外すことはできず、また、長尺物のロール状体を取り付け及び取り外すこともできない。さらに、支軸には破損しやすい繊細な紐状・帯状の長尺物の保持並びに取り付け及び取り外しの際の破損を軽減するような構造は設けられておらず、それら繊細な物品を保持並びに取り付け及び取り外すことが難しい。
特許文献３のロールペーパーホルダは、ロール状に成形された長尺物のロール状体を保持する器具であって、ロール状体の巻芯部を本体に装着して使用する構造となっているため、巻芯が無かったり巻きが荒かったり緩かったりするロール状体のような物品を装着してもロール状体の形状が崩れてしまう可能性があり、使用が難しい。また、紐状・帯状の長尺物をこのロールペーパーホルダに巻いたり掛けたり吊ったりして保持するための構造は備わっていないため、その用途には向かない。
本発明は以上の問題点を解決するものである。
【課題を解決するための手段】
【０００５】  上記の課題を解決するために、本発明の保持器具は、端から端までが開口し、拡縮可能な、ロール状に成形された略円筒状の内芯胴体と、内芯胴体を覆い、内芯胴体との間に空隙を持つように設置された、端から端までが開口し、拡縮可能な、ロール状に成形された略円筒状の外芯胴体からなる二重の筒型の芯胴体を持ち、内芯胴体の両端には外芯胴体の直径より大きな径を持ち、鍔状に設置した着脱可能な側板を持ち、さらに側板の取付軸心を軸に回転可能で、本体から着脱可能な本体吊り掛け部を持つことを特徴とするものである。
【発明の効果】
【０００６】  本発明によれば、次の様な事が全て可能になる。
紐状・帯状の長尺物を巻いたり掛けたり吊ったりして保持すること、
それら長尺物のロール状体を保持すること、
破損しやすい繊細な紐状・帯状の長尺物の保持並びに取り付け及び取り外しの際の破損を軽減すること、
紐状・帯状の長尺物を巻いた外芯胴体を内芯胴体から取り外してそれら長尺物の巻芯として用いること、
外芯胴体に巻き取られたそれら長尺物のロール状体を結束すること、
巻芯として用いられた外芯胴体からそれら長尺物のロール状体を取り外すこと、
先端に突起物や金具の付いた紐状・帯状の長尺物の先端を内芯胴体内部に収納して保持すること、
かつそれら先端に突起物や金具の付いた長尺物を巻いた外芯胴体を内芯胴体から取り外してそれら先端に突起物や金具の付いた長尺物の巻芯として用いること、
外芯胴体に巻き取られたそれら先端に突起物や金具の付いた長尺物のロール状体を結束すること、
巻芯として用いられた外芯胴体からそれら先端に突起物や金具の付いた長尺物のロール状体を取り外すこと、
外芯胴体が内芯胴体から脱落するのを防ぎ、紐状・帯状の長尺物及びそれら長尺物のロール状体が外芯胴体から脱落するのを防ぎ、かつ外芯胴体及びそれら保持する物品を簡便に保持並びに取り付け及び取り外しすること、
巻き芯の直径が外芯胴体の径より大きく側板の径より小さいロール状体を簡便に保持並びに取り付け及び取り外しすること、
巻芯の直径に合わせて直径の異なる側板に付け替えること、
本体を吊り掛けた状態で紐状・帯状の長尺物及びそれら長尺物のロール状体を保持並びに取り付け及び取り外すこと、
本体を吊り掛けた状態で本体を運搬すること。
【図面の簡単な説明】
【０００７】
【図１】本発明の斜視図
【図２】図１における本発明の表示に想像線を加えた斜視図
【図３】本発明の分解斜視図
【図４】本発明の使用例を示した斜視図
【図５】本発明の別の使用例を示した斜視図
【図６】本発明の更に別の使用例を示した斜視図
【図７】本発明の更に又別の使用例を示した斜視図
【発明を実施するための形態】
【０００８】  以下、本発明の実施の形態を説明する。
（イ）本発明は、薄いプレート板を、端から端までが開口し、拡縮可能な、ロール状に成    形した略円筒状の内芯胴体（１１）と、その内芯胴体（１１）を覆い、内芯胴体（１    １）との間に空隙を持つように設置した、薄いプレート板を、端から端までが開口し    、拡縮可能な、ロール状に成形した略円筒状の外芯胴体（１２）からなる二重の筒型    の芯胴体（１０）を持つ。
（ロ）さらに本発明は、内芯胴体（１１）の両端に、内芯胴体（１１）と一体となって動    作し、外芯胴体（１２）の直径より大きな径を持ち、鍔状に設置した、着脱可能な側    板（１４）を持つ。
（ハ）さらに本発明は、内芯胴体（１１）の両端の側板（１４）それぞれに隣接し、側板    （１４）の取付軸芯（１５）を軸として回転可能で、本体から着脱可能な本体吊り掛    け部（１６）を持つ。
本発明は、以上のような構造である。
【０００９】  本発明はまず、薄いプレート板を、端から端までが開口し、拡縮可能な、ロール状に成形した略円筒状の内芯胴体（１１）と、その内芯胴体（１１）を覆い、内芯胴体（１１）との間に空隙を持つように設置した、薄いプレート板を、端から端までが開口し、拡縮可能な、ロール状に成形した略円筒状の外芯胴体（１２）からなる二重の筒型の芯胴体（１０）を持つ。
この芯胴体（１０）に、紐状・帯状の長尺物（２１）を巻いたり掛けたり吊ったりして保持する、もしくはそれら長尺物（２１）のロール状体を保持することができる。図４は、長尺物（２１）を芯胴体（１０）に巻き取って保持した使用例を示す図である。
また、内芯胴体（１１）と外芯胴体（１２）の間に、互いに固定されずに個別に回転が可能となる空隙を持つことにより、外芯胴体（１２）との摩擦によって破損しやすい繊細な紐状・帯状の長尺物の保持並びに取り付け及び取り外しの際であっても、それら長尺物と共に外芯胴体（１２）が回転し摩擦を軽減するため、それら長尺物の破損を軽減することが可能となる。
さらに、内芯胴体（１１）と外芯胴体（１２）が共に、薄いプレート板を、端から端までが開口し、拡縮可能な、ロール状に成形した略円筒状で、かつ両芯胴体の間に互い固定されずに個別に回転が可能となる空隙を持つことにより、内芯胴体（１１）と外芯胴体（１２）の開口部（１３）に紐状・帯状の長尺物（２１）の先端を挿入し、内芯胴体（１１）を固定して外芯胴体（１２）を回転させることで、それら長尺物（２１）の先端が内芯胴体（１１）と外芯胴体（１２）の間に巻き込まれて挟まり固定され、それら長尺物（２１）を安定的に巻いたり掛けたり吊ったりして保持することが可能となる。
また、先端に突起物や金具の付いた紐状・帯状の長尺物であっても、内芯胴体（１１）と外芯胴体（１２）の両方の開口部（１３）の端から内芯胴体（１１）の内部に突起物や金具の付いたそれら長尺物の先端をスライドして収納することで、長尺部分を安定的に巻いたり掛けたり吊ったりして保持することができる。図５は、ＡＣアダプター（２２）を内芯胴体（１１）と外芯胴体（１２）の両方の開口部（１３）の端からスライドして内芯胴体（１１）の内部に収納した使用例を示す図である。
さらに、紐状・帯状の長尺物（２１）を巻いた外芯胴体（１２）は内芯胴体（１１）から取り外してそれら長尺物（２１）の巻芯として用いることが可能となる。この際に、内芯胴体（１１）と外芯胴体（１２）の間に巻き込まれて挟まっている長尺物（２１）の先端は開口部（１３）をスライドして移動し、外芯胴体（１２）と共に簡便に内芯胴体（１１）から取り外すことができる。図６は、長尺物（２１）を巻いた外芯胴体（１２）を内芯胴体（１１）から取り外して長尺物（２１）の巻芯として用いた使用例を示す図である。
さらに、外芯胴体（１２）が薄いプレート板を、端から端までが開口し、拡縮可能な、ロール状に成形した略円筒状であることによって、長尺物（２１）の巻かれた外芯胴体（１２）の内部に紐や針金を挿入し開口部（１３）を通して長尺物（２１）を結束することができる。
また、外芯胴体（１２）が薄いプレート板を、端から端までが開口し、拡縮可能な、ロール状に成形した略円筒状であることによって、外芯胴体（１２）の径は拡縮可能であり、力を加えて外芯胴体（１２）の径をわずかに縮め、外芯胴体（１２）に巻き取られた紐状・帯状の長尺物（２１）と外芯胴体（１２）の間に隙間を作り、それら長尺物（２１）のロール状体をスライドさせて外芯胴体（１２）から取り外すことができる。
【００１０】  さらに本発明は、内芯胴体（１１）の両端に、内芯胴体（１１）と一体となって動作し、外芯胴体（１２）の直径より大きな径を持ち、鍔状に設置された側板（１４）を持つ。これにより、外芯胴体（１２）が内芯胴体（１１）から脱落するのを防ぎ、さらに紐状・帯状の長尺物（２１）及びそれら長尺物（２１）のロール状体が外芯胴体（１２）から脱落するのを防ぐことができる。
また側板（１４）は内芯胴体（１１）から着脱可能であり、側板（１４）を取り外すことで、外芯胴体（１２）並びに紐状・帯状の長尺物（２１）及びそれら長尺物（２１）のロール状体を簡便に保持並びに取り付け及び取り外しすることが可能となる。その直径が外芯胴体（１２）の径より大きく側板（１４）の径より小さいロール状体であっても、側板（１４）を取り外すことで外芯胴体（１２）に簡便に保持並びに取り付け及び取り外しすることが可能となる。
さらに、保持するロール状体の芯径の大きさに合わせて、その芯径より大きな径の側板（１４）に付け替えることで、ロール状体の芯径の大きさに関わらず脱落を防ぎ、簡便に保持並びに取り付け及び取り外しすることができる。
【００１１】  さらに本発明は、内芯胴体（１１）の両端の側板（１４）それぞれの内芯胴体（１１）側に隣接し、側板（１４）の取付軸芯（１５）を軸として回転可能である本体吊り掛け部（１６）を持つ。これにより、本体を吊り掛けバー（２３）に吊り掛けた状態で紐状・帯状の長尺物（２１）を巻いたり掛けたり吊ったりして保持する、もしくはそれら長尺物（２１）のロール状体を保持することが可能となり、さらに本体を吊り掛けバー（２３）に吊り掛けた状態で簡便に本体を運搬することが可能となる。図７は、吊り掛けバー（２３）に本体吊り掛け部（１６）を吊り掛けた状態で長尺物（２１）を芯胴体（１０）に巻き取って保持した使用例を示す図である。
また、本体吊り掛け部（１６）は本体から着脱可能であり、側板（１４）と共に本体吊り掛け部（１６）を内芯胴体（１１）から取り外すことで、外芯胴体（１２）並びに紐状・帯状の長尺物（２１）及びそれら長尺物（２１）のロール状体を簡便に保持並びに取り付け及び取り外しすることが可能となる。
【００１２】  本発明は上記した実施形態に限定されず、本発明の思想と範囲に含まれる様々な変形及び均等物に及ぶことは言うまでもない。
内芯胴体（１１）及び外芯胴体（１２）の形状は、紐状・帯状の長尺物（２１）を多角形状に巻き取る場合や、多角形状の巻き芯を持つそれら長尺物（２１）のロール状体を保持する場合には、略円筒状ではなく略多角筒状とすることもできる。
開口部（１３）の形状についても、例えば外芯胴体（１２）に巻き取られた滑りやすい素材の物品が外芯胴体（１２）から滑り落ちることを防ぐために、片端の閉じた開口形状とすることもできるし、また、複数の紐状・帯状の長尺物（２１）を同時に保持する場合には、部分的に閉じたはしご状の開口形状とすることもできる。
側板（１４）の形状についても、本体を地面に置いた際に転がって移動することを防ぐために、円弧の一部を切り取った弓形とすることもできるし、また、本体を地面に置き本体吊り掛け部（１６）を引っ張って牽引する際に側板（１４）が地面を噛んで回転しやすくするために、側板（１４）の円周を鋸刃状や歯車状とすることもできるし、そもそも、外芯胴体（１２）が内芯胴体（１１）から脱落するのを防ぎ、さらに紐状・帯状の長尺物（２１）及びそれら長尺物（２１）のロール状体が外芯胴体（１２）から脱落するのを防ぐという側板（１４）の目的に合致するならば、あらゆる任意の形状をとることができる。
本体吊り掛け部（１６）の形状についても、吊り掛けバー（２３）からの脱落を防ぐためにフック部分を円形状や多角形状やロック機能の付いた金具とすることもできるし、また、本体吊り掛け部（１６）の素材についても、形状の固定された硬質素材に限らず、本体吊り掛け部（１６）を吊り掛けバー（２３）に結び付けたり、本体を吊り掛けた状態で本体を地面と水平方向に回転させたりするために、紐やワイヤーやゴムのような軟質素材を用いることもできる。
【符号の説明】
【００１３】  １０    芯胴体
１１    内芯胴体
１２    外芯胴体
１３    開口部
１４    側板
１５    取付軸芯
１６    本体吊り掛け部
２１    長尺物
２２    ＡＣアダプター
２３    吊り掛けバー
【図１】
2018188304.tif 000003
【図２】
2018188304.tif 000004
【図３】
2018188304.tif 000005
【図４】
2018188304.tif 000006
【図５】
2018188304.tif 000007
【図６】
2018188304.tif 000008
【図７】
2018188304.tif 000009